(57)【要約】  ワイヤレス通信におけるＭＩＨ（Ｍｅｄｉａ  Ｉｎｄｅｐｅｎｄｅｎｔ  Ｈａｎｄｏｖｅｒ）測定報告。測定報告の周期性を、ＭＩＨプロトコルメッセージまたはＭＩＨ＿ＳＡＰプリミティブを介してＭＩＨファンクションに、ＭＩＨ＿ＬＩＮＫ＿ＳＡＰプリミティブを介してリンク・レイヤー・デバイスに設定する。新しいＭＩＨ＿ＳＡＰプリミティブ、ＭＩＨプロトコルメッセージまたはＭＩＨ＿ＬＩＮＫ＿ＳＡＰプリミティブを追加して、周期性を構成する。測定報告周期用の新しいＩＥ（ｉｎｆｏｒｍａｔｉｏｎ  ｅｌｅｍｅｎｔ）フィールドを追加することができる。
2010529713.tif 000002
【特許請求の範囲】
【請求項１】
ＭＩＨファンクションに第１の周期性を設定するステップを備えたワイヤレス通信においてＭＩＨ（ｍｅｄｉａ  ｉｎｄｅｐｅｎｄｅｎｔ  ｈａｎｄｏｖｅｒ）測定報告を実行する方法。
【請求項２】
前記第１の周期性は、ＭＩＨプロトコルメッセージまたはＭＩＨ＿ＳＡＰプリミティブを介して設定されることを特徴とする請求項１に記載の方法。
【請求項３】
リンク・レイヤー・デバイスに第２の周期性を設定するステップをさらに備えたことを特徴とする請求項１に記載の方法。
【請求項４】
前記第２の周期性は、ＭＩＨ＿ＬＩＮＫ＿ＳＡＰプリミティブを介して設定されることを特徴とする請求項３に記載の方法。
【請求項５】
新しいＭＩＨ＿ＳＡＰプリミティブ、ＭＩＨプロトコルメッセージおよびＭＩＨ＿ＬＩＮＫ＿ＳＡＰプリミティブのうちの少なくとも１つを追加して前記第１および第２の周期性を構成することを特徴とする請求項２に記載の方法。
【請求項６】
測定報告周期用の新しいＩＥ（ｉｎｆｏｒｍａｔｉｏｎ  ｅｌｅｍｅｎｔ）フィールドを追加することを特徴とする請求項１に記載の方法。
【請求項７】
前記ＩＥを、ＭＩＨ  Ｇｅｔ  Ｌｉｎｋ  Ｐａｒａｍｅｔｅｒｓ  ＲｅｑｕｅｓｔメッセージおよびＭＩＨ＿Ｌｉｎｋ＿Ｇｅｔ＿Ｐａｒａｍｅｔｅｒｓ  Ｒｅｓｐｏｎｓｅメッセージのうちの少なくとも１つに追加することを特徴とする請求項６に記載の方法。
【請求項８】
前記ＩＥを、Ｌｉｎｋ＿Ｇｅｔ＿Ｐａｒａｍｅｔｅｒｓ  ＲｅｑｕｅｓｔメッセージおよびＬｉｎｋ＿Ｇｅｔ＿Ｐａｒａｍｅｔｅｒｓ  Ｒｅｓｐｏｎｓｅメッセージのうちの少なくとも１つに追加することを特徴とする請求項６に記載の方法。
【請求項９】
前記ＩＥを、ＭＩＨ＿Ｌｉｎｋ＿Ｃｏｎｆｉｇｕｒｅ  ＲｅｑｕｅｓｔメッセージおよびＭＩＨ＿Ｌｉｎｋ＿Ｃｏｎｆｉｇｕｒｅ  Ｒｅｓｐｏｎｓｅメッセージのうちの少なくとも１つに追加することを特徴とする請求項６に記載の方法。
【請求項１０】
前記ＩＥを、Ｌｉｎｋ＿Ｃｏｎｆｉｇｕｒｅ＿Ｔｈｒｅｓｈｏｌｄｓ  Ｒｅｑｕｅｓｔメッセージ、およびＬｉｎｋ＿Ｃｏｎｆｉｇｕｒｅ＿Ｔｈｒｅｓｈｏｌｄｓ  Ｒｅｓｐｏｎｓｅメッセージの少なくとも１つに追加することを特徴とする請求項６に記載の方法。
【請求項１１】
前記ＭＩＨファンクションが、前記リンク・レイヤー・デバイスに設定された測定報告のための先行の条件を除去するステップをさらに備えたことを特徴とする請求項１に記載の方法。
【請求項１２】
前記ＭＩＨファンクションが、前記リンク・レイヤー・デバイスからの周期的な測定報告を可能にするステップをさらに備えたことを特徴とする請求項１に記載の方法。
【請求項１３】
ＭＩＨユーザーが、前記ＭＩＨファンクションに設定された測定報告用のあらゆる先行の条件を除去するステップをさらに備えたことを特徴とする請求項１に記載の方法。
【請求項１４】
前記ＭＩＨユーザーが、前記ＭＩＨファンクションからの周期的な測定報告を可能または不可能にするステップをさらに備えたことを特徴とする請求項１に記載の方法。
【請求項１５】
ＬＩＮＫ＿ＣＬＥＡＲ＿ＴＨＲＥＳＨＯＬＤＳメッセージを使用して先行の条件を除去することを特徴とする請求項１３に記載の方法。
【請求項１６】
ＬＩＮＫ＿ＤＩＳＡＢＬＥ＿ＰＡＲＡＭＥＴＥＲＳ＿ＲＥＰＯＲＴＳメッセージを使用して周期的な測定報告を不可能にすることを特徴とする請求項１３に記載の方法。
【請求項１７】
ＬＩＮＫ＿ＥＮＡＢＬＥ＿ＰＡＲＡＭＥＴＥＲＳ＿ＲＥＰＯＲＴＳメッセージを使用して周期的な測定報告を可能にすることを特徴とする請求項１３に記載の方法。
【請求項１８】
ワイヤレス通信においてＭＩＨ（ｍｅｄｉａ  ｉｎｄｅｐｅｎｄｅｎｔ  ｈａｎｄｏｖｅｒ）測定報告を実行する方法であって、
ＭＩＨ要求プリミティブを受信するステップと、
前記ＭＩＨ要求プリミティブがローカルのＭＩＨＦ用であるかどうかを決定するステップと、
前記ＭＩＨ要求プリミティブが前記ローカルのＭＩＨＦ用である場合には、要求された情報を受信し、および確認メッセージにより応答するステップと、
前記ＭＩＨ要求プリミティブが前記ローカルのＭＩＨＦ用でない場合には、ＭＩＨ要求メッセージを生成し、およびリモートのＭＩＨＦに送信するステップと、
ＲｅｐｏｒｔｉｎｇＰｅｒｉｏｄ値が零でない値であるかどうかを決定するステップと、
前記ＲｅｐｏｒｔｉｎｇＰｅｒｉｏｄ値が零でない値である場合には、一定の間隔において報告を送信するステップと、
前記ＲｅｐｏｒｔｉｎｇＰｅｒｉｏｄ値が０である場合には、さらに動作しないステップと
を備えたことを特徴とする方法。
【請求項１９】
前記ＭＩＨ要求プリミティブは、ＭＩＨ＿Ｌｉｎｋ＿Ｇｅｔ＿Ｐａｒａｍｅｔｅｒｓ．ｒｅｑｕｅｓｔであることを特徴とする請求項１８に記載の方法。
【請求項２０】
前記ＭＩＨ要求プリミティブは、ＭＩＨ＿Ｌｉｎｋ＿Ｃｏｎｆｉｇｕｒｅ＿Ｔｈｒｅｓｈｏｌｄｓ．ｒｅｑｕｅｓｔであることを特徴とする請求項１８に記載の方法。
【請求項２１】
前記ＭＩＨ要求メッセージは、ＭＩＨ＿Ｌｉｎｋ＿Ｇｅｔ＿Ｐａｒａｍｅｔｅｒｓ．ｒｅｑｕｅｓｔメッセージであることを特徴とする請求項１８に記載の方法。
【請求項２２】
前記ＭＩＨ要求メッセージは、ＭＩＨ＿Ｌｉｎｋ＿Ｃｏｎｆｉｇｕｒｅ＿Ｔｈｒｅｓｈｏｌｄｓ．ｒｅｑｕｅｓｔであることを特徴とする請求項１８に記載の方法。
【請求項２３】
前記ＲｅｐｏｒｔｉｎｇＰｅｒｉｏｄを、前記プリミティブ内の別のフィールドに埋め込むことを特徴とする請求項１８に記載の方法。
【請求項２４】
ワイヤレス通信においてＭＩＨ（ｍｅｄｉａ  ｉｎｄｅｐｅｎｄｅｎｔ  ｈａｎｄｏｖｅｒ）測定報告を実行する方法であって、
リンク要求を受信するステップと、
リンク応答を送信するステップと、
報告フィールドが零でない値である場合には、前記報告フィールドによって指定される一定の間隔においてリンクプリミティブを使用して報告を送信するステップと、
前記報告フィールド値が０である場合には、さらに動作しないステップと
を備えたことを特徴とする方法。
【請求項２５】
前記リンク要求は、Ｌｉｎｋ＿Ｇｅｔ＿Ｐａｒａｍｅｔｅｒｓ．ｒｅｑｕｅｓｔプリミティブであることを特徴とする請求項２４に記載の方法。
【請求項２６】
前記リンク応答は、Ｌｉｎｋ＿Ｇｅｔ＿Ｐａｒａｍｅｔｅｒｓ．ｃｏｎｆｉｒｍプリミティブであることを特徴とする請求項２４に記載の方法。
【請求項２７】
前記リンク要求は、Ｌｉｎｋ＿Ｃｏｎｆｉｇｕｒｅ＿Ｔｈｒｅｓｈｏｌｄｓ．ｒｅｑｕｅｓｔプリミティブであることを特徴とする請求項２４に記載の方法。
【請求項２８】
前記リンク応答は、Ｌｉｎｋ＿Ｃｏｎｆｉｇｕｒｅ＿Ｔｈｒｅｓｈｏｌｄ．ｃｏｎｆｉｒｍプリミティブであることを特徴とする請求項２４に記載の方法。
【請求項２９】
Ｌｉｎｋ＿Ｐａｒａｍｅｔｅｒｓ＿Ｒｅｐｏｒｔ．ｉｎｄｉｃａｔｉｏｎプリミティブを使用して表示を提供するステップをさらに備えたことを特徴とする請求項２４に記載の方法。
【請求項３０】
ＭＩＨ（ｍｅｄｉａ  ｉｎｄｅｐｅｎｄｅｎｔ  ｈａｎｄｏｖｅｒ）性能があるワイヤレス送受信ユニット（ＷＴＲＵ）であって、
ＭＩＨ要求メッセージを生成するように構成されたＭＩＨファンクションと、
前記ＭＩＨ要求メッセージをアクセスポイント（ＡＰ）に送信するように構成されたトランスミッターと、
ＭＩＨ測定報告を受信するように構成されたレシーバーと
を備えたことを特徴とするＷＴＲＵ。
【請求項３１】
ＭＩＨ（ｍｅｄｉａ  ｉｎｄｅｐｅｎｄｅｎｔ  ｈａｎｄｏｖｅｒ）性能があるアクセスポイント（ＡＰ）であって、
ＷＴＲＵからＭＩＨ要求メッセージを受信するように構成されたレシーバーと、
ＭＩＨ測定報告を生成するように構成されたＭＩＨファンクションと、
前記ＭＩＨ測定報告を送信するように構成されたトランスミッターと
を備えたことを特徴とするＡＰ。
【発明の詳細な説明】
【技術分野】
【０００１】
本発明は、ワイヤレス通信システムに関し、より詳細には、ワイヤレス通信システムにおけるＭＩＨ（Ｍｅｄｉａ  Ｉｎｄｅｐｅｎｄｅｎｔ  Ｈａｎｄｏｖｅｒ）測定報告のための方法および装置に関する。
【背景技術】
【０００２】
ＩＥＥＥ８０２．２１標準により、異なるリンクレイヤーのテクノロジーにわたるハンドオーバーを可能にしおよび強化するのに役立つ一定の機能セットが提供される。特に、ＩＥＥＥ８０２．２１により、システム間ハンドオーバーをサポートする性能がある、いくつかのワイヤレスシステムの通信エンティティに属するＭＩＨＦ（ＭＩＨ  Ｆｕｎｃｔｉｏｎ）が定義される。
【０００３】
高レベルにおいて、強化されたハンドオーバー性能により、伝送媒体を通じて、ローカルかリモートかのどちらかにおいて、ＭＩＨ  Ｆｕｎｃｔｉｏｎと通信することができる上位レイヤーのＭＩＨ  Ｕｓｅｒが必然的に含まれる。さらに、ＭＩＨ  Ｆｕｎｃｔｉｏｎにより、テクノロジーに固有のプリミティブの使用によってリンク・レイヤー・デバイスが双方向に情報を伝達する。
【０００４】
特に関連のある性能は、ＭＩＨ  Ｆｕｎｃｔｉｏｎから測定報告を取得するＭＩＨ  Ｕｓｅｒの性能、および標準化されたＭＩＨのプリミティブの使用によってリンク・レイヤー・デバイスから測定報告を取得するＭＩＨ  Ｆｕｎｃｔｉｏｎの性能である。
【０００５】
移動端末上にローカルにおいてか、ＭＩＨのプロトコルメッセージの使用によってリモートにおいてかのどちらかにおいて、上記の測定報告を、取得することができる。上記の測定報告により、ハンドオーバーの意思決定プロセスにおける重要な部分が形成構成される。
【０００６】
現行の８０２．２１規格により、上記の測定報告を取得するメカニズムが提供されるが、提供されるメカニズムは、実施者に、測定報告のプロセスに属する重要な機能および完全な制御の使用を許さないという欠陥を有する。
【０００７】
ＩＥＥＥ８０２．２１標準のドラフト版によると、次のプリミティブおよび対応するプロトコルメッセージをＭＩＨ  Ｕｓｅｒが使用して、ＭＩＨ  Ｆｕｎｃｔｉｏｎから、配列するまたはリモートピアとすることができる測定報告を取得する。無条件に、ＭＩＨ＿Ｌｉｎｋ＿Ｇｅｔ＿Ｐａｒａｍｅｔｅｒｓ  Ｒｅｑｕｅｓｔ／Ｒｅｓｐｏｎｓｅプリミティブにより、ＭＩＨ  Ｕｓｅｒが要求しているパラメーター値が提供される。パラメーター値の報告は、応答メッセージの使用によって行われる。上記の予め設定された閾値を超えるときには、ＭＩＨＦにより、ＭＩＨ＿Ｌｉｎｋ＿Ｐａｒａｍｅｔｅｒｓ＿Ｒｅｐｏｒｔ  Ｉｎｄｉｃａｔｉｏｎの使用を通じて、要求しているＭＩＨ  Ｕｓｅｒに表示（ｉｎｄｉｃａｔｉｏｎ）が与えられるような閾値が、ＭＩＨ＿Ｌｉｎｋ＿Ｃｏｎｆｉｇｕｒｅ  Ｒｅｑｕｅｓｔ／Ｒｅｓｐｏｎｓｅによって構成される。ひとたびある予め設定された閾値を超えれば、ＭＩＨＦがＭＩＨ＿Ｌｉｎｋ＿Ｐａｒａｍｅｔｅｒｓ＿Ｒｅｐｏｒｔ  Ｉｎｄｉｃａｔｉｏｎプリミティブを使用して、閾値を設定されたＭＩＨ  Ｕｓｅｒに表示が与えられる。上記の表示は、閾値が設定されたパラメーター値を含む。
【０００８】
同様にして、さらに、ＭＩＨＦにより、ローカルなリンク・レイヤー・デバイスから種々のパラメーター値を取得するプリミティブが与えられる。無条件に、Ｌｉｎｋ＿Ｇｅｔ＿Ｐａｒａｍｅｔｅｒｓ  Ｒｅｑｕｅｓｔ／Ｒｅｓｐｏｎｓｅプリミティブによって、ＭＩＨ  Ｆｕｎｃｔｉｏｎにより要求されているパラメーター値が提供される。パラメーターの報告は、応答メッセージの使用によって行われる。上記の予め設定された閾値を超えるときには、リンク・レイヤー・デバイスにより、Ｌｉｎｋ＿Ｐａｒａｍｅｔｅｒｓ＿Ｒｅｐｏｒｔ  Ｉｎｄｉｃａｔｉｏｎの使用を通じて、要求しているＭＩＨ  Ｆｕｎｃｔｉｏｎに表示が与えられるような閾値が、Ｌｉｎｋ＿Ｃｏｎｆｉｇｕｒｅ＿Ｔｈｒｅｓｈｏｌｄｓ  Ｒｅｑｕｅｓｔ／Ｒｅｓｐｏｎｓｅプリミティブによって構成される。ひとたびある予め設定された閾値を超えれば、リンク・レイヤー・デバイスがＬｉｎｋ＿Ｐａｒａｍｅｔｅｒｓ＿Ｒｅｐｏｒｔ  Ｉｎｄｉｃａｔｉｏｎプリミティブを使用して、閾値を設定されたＭＩＨ  Ｆｕｎｃｔｉｏｎに表示が与えられる。上記の表示は、閾値が設定されたパラメーター値を含む。
【０００９】
現在、上記のメッセージは、１回の報告を許すだけで、測定報告プロセスの柔軟性および制御を減らすことに帰着する。周期的な測定報告は、ＩＥＥＥ８０２．２１標準のドラフト版により、現在、提供される機能を通じて不可能である。ＭＩＨ  Ｕｓｅｒは、（ローカルにおいてか、リモートピアにおいてかのどちらかにおいて）ＭＩＨ  Ｆｕｎｃｔｉｏｎ上に報告周期を構成することができない。同様にして、ＭＩＨ  Ｆｕｎｃｔｉｏｎは、ＩＥＥＥ８０２．２１において、現在、使用可能なプリミティブを使用して、リンク・レイヤー・デバイス上に報告周期を構成することができない。
【００１０】
加えて、現在のＩＥＥＥ８０２．２１標準のドラフト版は、次のようなさらにいくつかの欠陥を有する。第１の欠陥は、ＭＩＨ  Ｆｕｎｃｔｉｏｎが、リンク・レイヤー・デバイス上に予め構成した報告条件を消去することができないことである。第２には、ＭＩＨ  Ｆｕｎｃｔｉｏｎは、リンク・レイヤー・デバイスからの測定報告を作動しないようにすることができない。第３の欠陥は、ＭＩＨ  Ｕｓｅｒが、（ローカルまたはリモートの）ＭＩＨ  Ｆｕｎｃｔｉｏｎ上に予め構成した報告条件を消去することができないことである。最後に、ＭＩＨ  Ｕｓｅｒは、（ローカルまたはリモートの）ＭＩＨ  Ｆｕｎｃｔｉｏｎからの測定報告を作動しないようにすることができない。
【００１１】
現在のＩＥＥＥ８０２．２１標準のドラフト版仕様書にできるだけわずかの影響によって、上記の欠陥を、効率的に解決することが望ましいだろう。さらに、既存のＩＥＥＥ８０２．２１メッセージおよびプリミティブへの解決策を具体化することが望ましいだろう。
【発明の概要】
【００１２】
方法および装置を、ワイヤレス通信におけるＭＩＨ測定報告のために使用する。方法は、ＭＩＨユーザー、ＭＩＨファンクション、およびリンク・レイヤー・デバイスを含む。ＭＩＨプロトコルメッセージまたはＭＩＨ＿ＳＡＰプリミティブを通じてＭＩＨファンクション上に、およびＭＩＨ＿ＬＩＮＫ＿ＳＡＰプリミティブを通じてリンク・レイヤー・デバイス上に、測定報告の周期性を、設定する。新しいＭＩＨ＿ＳＡＰプリミティブ、ＭＩＨプロトコルメッセージ、またはＭＩＨ＿ＬＩＮＫ＿ＳＡＰプリミティブを追加して、周期性を構成することができる。測定報告周期用の新しいＩＥ（ｉｎｆｏｒｍａｔｉｏｎ  ｅｌｅｍｅｎｔ）フィールドを、追加することができる。
【００１３】
例として与えられ、および本明細書に添付の図面と共同して理解される、望ましい実施形態についての次の説明から、本発明のより詳細な理解を、得ることができる。
【図面の簡単な説明】
【００１４】
【図１】本発明の一実施形態に係るシステム間ハンドオーバーをサポートするよう構成されたワイヤレス通信システムの一例の図である。
【図２】本発明の一実施形態に係る典型的なワイヤレス通信システムのブロック図である。
【図３】本発明の一実施形態に係るＭＩＨ＿ＬＩＮＫ＿ＧＥＴ＿Ｐａｒａｍｅｔｅｒｓ要求を受信した後に実行するのに適している手順のフローチャートである。
【図４】本発明の一実施形態に係るＭＩＨ＿Ｌｉｎｋ＿Ｃｏｎｆｉｇｕｒｅ要求を受信した後に実行するのに適している手順のフローチャートである。
【図５】本発明の一実施形態に係るＭＩＨ＿Ｌｉｎｋ＿Ｇｅｔ＿Ｐａｒａｍｅｔｅｒｓ要求を受信した後に実行するのに適している手順のフローチャートである。
【図６】本発明の一実施形態に係るＬｉｎｋ＿Ｃｏｎｆｉｇｕｒｅ＿Ｔｈｒｅｓｈｏｌｄｓ要求を受信後に実行するのに適している手順のフローチャートである。
【図７】本発明の一実施形態に係るＭＩＨ＿Ｌｉｎｋ＿Ｃｏｎｆｉｇｕｒｅ＿Ｔｈｒｅｓｈｏｌｄｓ要求メッセージの図である。
【発明を実施するための形態】
【００１５】
本明細書において以下に引用するときには、用語「ワイヤレス送受信ユニット（ＷＴＲＵ）」は、制限されないが、ユーザー機器（ＵＥ）、移動局（ＳＴＡ）、移動ノード（ＭＮ）、固定もしくは移動の加入者装置、ページャー、セルラー電話、ＰＤＡ（ｐｅｒｓｏｎａｌ  ｄｉｇｉｔａｌ  ａｓｓｉｓｔａｎｔ）、ＭＩＨファンクション、コンピューター、またはワイヤレス環境において動作可能な他のあらゆる種類のユーザーデバイスを含む。本明細書において以下に引用するときには、用語「アクセスポイント（ＡＰ）」は、制限されないが、Ｎｏｄｅ−Ｂ、サイトコントローラー、基地局、ＰｏＡ（ｐｏｉｎｔ  ｏｆ  ａｔｔａｃｈｍｅｎｔ）、ＰｏＳ（ｐｏｉｎｔ  ｏｆ  ｓｅｒｖｉｃｅ）、ＭＩＨファンクション、またはワイヤレス環境において動作可能な他のあらゆる種類のインターフェースデバイスを含む。
【００１６】
図１は、システム間ハンドオーバーをサポートすることができる、ワイヤレスシステム用のネットワークアーキテクチャの一実施例を示す。上記の基礎をなすテクノロジーは、例えば、３ＧＰＰ、３ＧＰＰ２、および例えばＩＥＥＥ８０２．ｘｘなどのＩＥＥＥベースのネットワーク、ＣＤＭＡ（符号分割多重接続）２０００、ＵＴＭＳ（ｕｎｉｖｅｒｓａｌ  ｍｏｂｉｌｅ  ｔｅｌｅｐｈｏｎｅ  ｓｙｓｔｅｍ）、ＧＳＭ、ＬＴＥ（ｌｏｎｇ  ｔｅｒｍ  ｅｖｏｌｕｔｉｏｎ）または未だに開発されていない将来のワイヤレス通信システムを含む他のあらゆるワイヤレス通信システムを含むことができる。
【００１７】
図２は、ワイヤレス送受信ユニット２０５およびＡＰ２１０を含むワイヤレス通信システム２００のブロック図である。ＷＴＲＵ２０５およびＡＰ２１０は、ワイヤレス通信リンク２１２を介して通信する。
【００１８】
図２に示すように、ＷＴＲＵ２１５は、ＭＩＨＦ２１５、プロセッサ２２０、少なくとも１つのトランシーバー（２２５ａ、２２５ｂ）を含む。プロセッサ２２０を、ＭＩＨＦ２１５およびトランシーバー２２５ａ、２２５ｂの各々に連結する。ＭＩＨプロトコルメッセージの処理、ＭＩＨ測定報告の生成かつ送信、およびリンク・レイヤー・デバイスからの測定報告の取得を含むＭＩＨ関係する処理を実行するよう、ＭＩＨＦ２１５を、構成する。
【００１９】
また、図２に示すように、ＡＰ２１０は、ＭＩＨＦ２３０、プロセッサ２３５、少なくとも１つのトランシーバー（２４０ａ、２４０ｂ）を含む。プロセッサ２３５は、ＭＩＨファンクション２１５およびトランシーバー２２５ａ、２２５ｂの各々に連結される。ＭＩＨプロトコルメッセージの処理、ＭＩＨ測定報告の生成および送信、リンク・レイヤー・デバイスからの測定報告の取得を含むＭＩＨに関係する処理を実行するよう、ＭＩＨＦ２３０を、構成する。オプションとして、ＭＩＨＦ２３０を、ネットワーク（図示せず）においてＡＰ２１０の外部に配置することができる。例えば、ＡＰ２１０を、ＭＩＨＦ２３０をハウジングすることができるアクセスルータ（図示せず）に接続することができる。
【００２０】
（提案するソリューションの概要）
上述の欠けている機能に関連する問題を解決するために、以下に考察する例は、ＭＩＨプロトコルメッセージまたはＭＩＨ＿ＳＡＰプリミティブを介してＭＩＨ  Ｆｕｎｃｔｉｏｎに対して周期性を設定するメカニズム、およびＭＩＨ＿ＬＩＮＫ＿ＳＡＰプリミティブを介してリンク・レイヤー・デバイスに対して周期性を設定するメカニズムを定義する。
【００２１】
上記のあらゆるメカニズムは、次を可能にするべきである。すなわち、２つのエンティティ間の共通報告間隔の通信を可能にする、報告間隔を１つまたは複数のパラメーターの報告に対する閾値に関連づけさせることを可能にする、報告間隔を１つまたは複数のパラメーターの報告に対する無条件の検査（ｐｒｏｂｅ）に関連づけさせることを可能にする、測定に対する閾値と無条件との検査の両方に対して１回の報告を可能にする、既存のプリミティブおよびメッセージに生じる妨害（ｄｉｓｔｕｒｂａｎｃｅ）を最小にする、プロトコルメッセージに加わるオーバヘッドを最小にする、および異なるソースからのモジュール用に標準のフレームワークを保持して「共通言語」の指令を出す間、ベンダー固有の実装を可能にする。
【００２２】
上記のメカニズムを、次の１つまたは複数の方法において実装することができる。第１の実施形態は、新しいＭＩＨ＿ＳＡＰプリミティブ、ＭＩＨ  Ｐｒｏｔｏｃｏｌメッセージ、およびＭＩＨ＿ＬＩＮＫ＿ＳＡＰプリミティブを追加して、報告時間間隔を構成することができる。第２の実施形態は、「測定−報告周期」用のＩＥフィールドを、ＭＩＨ＿Ｌｉｎｋ＿Ｇｅｔ＿Ｐａｒａｍｅｔｅｒｓ  Ｒｅｑｕｅｓｔ／Ｒｅｓｐｏｎｓｅプリミティブおよび／またはＬｉｎｋ＿Ｇｅｔ＿Ｐａｒａｍｅｔｅｒｓ  Ｒｅｑｕｅｓｔ／Ｒｅｓｐｏｎｓｅプリミティブに追加することができる。第３の実施形態は、「測定−報告周期」用のＩＥフィールドを、ＭＩＨ＿Ｌｉｎｋ＿Ｃｏｎｆｉｇｕｒｅ  Ｒｅｑｕｅｓｔ／Ｒｅｓｐｏｎｓｅプリミティブおよび／またはＬｉｎｋ  Ｃｏｎｆｉｇｕｒｅ  Ｔｈｒｅｓｈｏｌｄｓ  Ｒｅｑｕｅｓｔ／Ｒｅｓｐｏｎｓｅプリミティブに追加することができる。
【００２３】
リンク・レイヤー・デバイスに予め設定された報告条件を除去するメカニズム、および測定がさらに送信されるのを停止するメカニズムの欠如に関する欠陥に取り組むために、は、リンク・レイヤー・デバイスに設定されたあらゆる先行する条件を、無条件に除去または消去するＭＩＨ  Ｆｕｎｃｔｉｏｎ用のメカニズムを実装することができる。加えて、リンク・レイヤー・デバイスからの周期的な測定報告を無条件に可能にするＭＩＨ  Ｆｕｎｃｔｉｏｎ用のメカニズムを実装することができる。
【００２４】
さらに、対応するメカニズムを、ＭＩＨ  ＵｓｅｒとＭＩＨ  Ｆｕｎｃｔｉｏｎとの間に組み入れるべきである。ＭＩＨ  Ｆｕｎｃｔｉｏｎに設定された測定−報告用のあらゆる先行する条件を無条件に除去または消去するＭＩＨ  Ｕｓｅｒ用のメカニズムを組み入れることができる。さらに、ＭＩＨ  Ｆｕｎｃｔｉｏｎからの周期的な測定報告を無条件に可能または不可能にするＭＩＨ  Ｕｓｅｒ用のメカニズムを組み入れることができる。
【００２５】
上記のメカニズムを、Ｌｉｎｋ  Ａｃｔｉｏｎの種々の種類を加えることによって、８０２．２１標準のドラフト版に組み入れることができる。Ｌｉｎｋ  Ａｃｔｉｏｎの上記の種類は、ＬＩＮＫ＿ＣＬＥＡＲ＿ＴＨＲＥＳＨＯＬＤＳ、ＬＩＮＫ＿ＤＩＳＡＢＬＥ＿ＰＡＲＡＭＥＴＥＲＳ＿ＲＥＰＯＲＴＳ、およびＬＩＮＫ＿ＥＮＡＢＬＥ＿ＰＡＲＡＭＥＴＥＲＳ＿ＲＥＰＯＲＴＳを含む。
【００２６】
（ＭＩＨ  Ｆｕｎｃｔｉｏｎ上の測定報告の構成）
本セクションは、上述のメカニズムを既存のＭＩＨプロトコルメッセージおよびＭＩＨ−ＳＡＰプリミティブに組み入れる方法について、２つの実施例を示す。以下に考察するプリミティブへ直にマッピングする、対応するメッセージを生成し、およびリモートの送信先に送信することができることを理解する。
【００２７】
（ＭＩＨ  Ｌｉｎｋ  Ｇｅｔ  Ｐａｒａｍｅｔｅｒｓのビヘイビアーの変更）
既存のＭＩＨ＿Ｌｉｎｋ＿Ｇｅｔ＿Ｐａｒａｍｅｔｅｒｓ要求プリミティブを、次のように記述する。  
MIH_Link_Get_Parameters.request (
DestinationIdentifier,
DeviceStatesRequest,
LinkIdentifierList,
GetStatusRequestSet
)
【００２８】
本実施例において周期的な報告を実行するために、既存のプリミティブ定義を更新して、次のＲｅｐｏｒｔｉｎｇＰｅｒｉｏｄフィールドを含む。  
MIH_Link_Get_Parameters.request(
DestinationIdentifier,
DeviceStatesRequest,
LinkIdentifierList,
GetStatusRequestSet,
ReportingPeriod
)
を含むように更新される。
【００２９】
図３は、ＭＩＨ＿Ｌｉｎｋ＿Ｇｅｔ＿Ｐａｒａｍｅｔｅｒｓ要求の受信後に実行する一実施例の手順３００についてのフロー図である。ＭＩＨ＿Ｌｉｎｋ＿Ｇｅｔ＿Ｐａｒａｍｅｔｅｒｓ要求プリミティブの受信（３１０）の結果は、要求の送信先がローカルのＭＩＨＦ自体である場合（３２０）には、ローカルのＭＩＨＦは、指定されたローカルリンクの状態についての要求情報を取得（３３０）して、ＭＩＨ＿Ｌｉｎｋ＿Ｇｅｔ＿Ｐａｒａｍｅｔｅｒｓ．ｃｏｎｆｉｒｍにより応答（３４０）することになることである。要求の送信先がリモートのＭＩＨＦである場合（３２０）には、ローカルのＭＩＨＦは、ＭＩＨ＿Ｌｉｎｋ＿Ｇｅｔ＿Ｐａｒａｍｅｔｅｒｓ要求メッセージを生成してリモートのＭＩＨＦに送信（３５０）することになる。
【００３０】
図３を参照すると、更新されたＭＩＨ＿Ｌｉｎｋ＿Ｇｅｔ＿Ｐａｒａｍｅｔｅｒｓ  Ｒｅｑｕｅｓｔプリミティブの受信（３１０）の結果は、ＲｅｐｏｒｔｉｎｇＰｅｒｉｏｄフィールドが「０」に設定されている場合（３６０）には、さらに動作しない（３７０）ことをさらに含む。しかしながら、ＲｅｐｏｒｔｉｎｇＰｅｒｉｏｄが零でない値に設定される場合（３６０）には、ＭＩＨ＿Ｌｉｎｋ＿Ｐａｒａｍｅｔｅｒｓ＿Ｒｅｐｏｒｔ．ｉｎｄｉｃａｔｉｏｎを使用して、ＲｅｐｏｒｔｉｎｇＰｅｒｉｏｄフィールドによってミリ秒単位に指定された一定の間隔において、さらに報告を送信（３８０）することができる。
【００３１】
下の表１は、ＲｅｐｏｒｔｉｎｇＰｅｒｉｏｄフィールドを含む、更新されたＭＩＨ＿Ｌｉｎｋ＿Ｇｅｔ＿Ｐａｒａｍｅｔｅｒｓ要求プリミティブのパラメーターの可能な一実施形態を示す。
【００３２】
【表１】
2010529713.tif 000003
【００３３】
対応するプロトコルメッセージは、ＲｅｐｏｒｔｉｎｇＰｅｒｉｏｄ  ＴＬＶフィールドの追加によって、相応して更新されることになる。
【００３４】
（ＭＩＨ  Ｌｉｎｋ  Ｃｏｎｆｉｇｕｒｅ  Ｔｈｒｅｓｈｏｌｄｓ  Ｒｅｑｕｅｓｔのビヘイビアーの変更）  
既存のＭＩＨ＿Ｌｉｎｋ＿Ｃｏｎｆｉｇｕｒｅ＿Ｔｈｒｅｓｈｏｌｄｓ要求プリミティブを、次のように記述する。  
MIH_Link_Configure_Thresholds.request(
DestinationIdentifier,
LinkIdentifier,
ConfigurationRequestList
)
【００３５】
上記の例において周期的な報告を実行するために、既存のプリミティブ定義を更新して、次のＲｅｐｏｒｔｉｎｇＰｅｒｉｏｄフィールドを含む。  
MIH_Link_Configure_Thresliolds.request(
DestinationIdentifier,
LinkIdentifier,
ConfigurationRequestList
ReportingPeriod
)
【００３６】
別の例において、ＲｅｐｏｒｔｉｎｇＰｅｒｉｏｄフィールドを、ＣｏｎｆｉｇｕｒａｔｉｏｎＲｅｑｕｅｓｔＬｉｓｔフィールドに埋め込むことができる。
【００３７】
図４は、ＭＩＨ＿Ｌｉｎｋ＿Ｃｏｎｆｉｇｕｒｅ＿Ｔｈｒｅｓｈｏｌｄｓ要求の受信後に実行する一実施例の手順４００のフロー図である。ＭＩＨ＿Ｌｉｎｋ＿Ｃｏｎｆｉｇｕｒｅ＿Ｔｈｒｅｓｈｏｌｄｓ要求の受信（４１０）の結果は、要求の送信先がローカルのＭＩＨＦ自体である場合（４２０）には、ローカルのＭＩＨＦは、Ｌｉｎｋ＿Ｃｏｎｆｉｇｕｒｅ＿Ｔｈｒｅｓｈｏｌｄｓ要求を下位レイヤーのリンクに出して（４３０）、指定された構成パラメーターによりリンクに対する閾値を設定（４４０）することになることである。要求の送信先が、リモートのＭＩＨＦである場合（４２０）には、ローカルのＭＩＨＦは、ＭＩＨ＿Ｌｉｎｋ＿Ｃｏｎｆｉｇｕｒｅ＿Ｔｈｒｅｓｈｏｌｄｓ要求メッセージを生成し、およびリモートのＭＩＨＦに送信する（４５０）ことになる。メッセージを受信すると、次に、リモートＭＩＨＦは、Ｌｉｎｋ＿Ｃｏｎｆｉｇｕｒｅ＿Ｔｈｒｅｓｈｏｌｄｓ要求を下位レイヤーのリンクに出して（４６０）、指定された構成パラメーターによりリンクに対する閾値を設定することになる。
【００３８】
図４を参照すると、更新されたＭＩＨ＿Ｌｉｎｋ＿Ｃｏｎｆｉｇｕｒｅ＿Ｔｈｒｅｓｈｏｌｄｓプリミティブの受信（４１０）の結果は、ＣｏｎｆｉｇｕｒａｔｉｏｎＲｅｑｕｅｓｔＬｉｓｔが「０」に設定されたＣｏｎｆｉｇｕｒａｔｉｏｎＰａｒａｍｅｔｅｒＴｙｐｅを有する場合（４７０）には、ＲｅｐｏｒｔｉｎｇＰｅｒｉｏｄを「０」に設定しなければならない（４７５）ことをさらに含む。ＣｏｎｆｉｇｕｒａｔｉｏｎＰａｒａｍｅｔｅｒＴｙｐｅが「１すなわちＬｉｎｋ  ＱｏＳＰａｒａｍｅｔｅｒＬｉｓｔ」に設定されている場合（４７０）には、ひとたび関連パラメーターが閾値を超えると、ＲｅｐｏｒｔｉｎｇＰｅｒｉｏｄフィールドによってミリ秒単位に指定された間隔において、ＭＩＨ＿Ｌｉｎｋ＿Ｃｏｎｆｉｇｕｒｅ要求の送信元に対して、周期的な表示を送信（４８０）することができる。ＲｅｐｏｒｔｉｎｇＰｅｒｉｏｄフィールドを「０」に設定する場合（４７５）には、ただ１つの表示だけを提供（４８５）することになる。すべての場合において、ＭＩＨ＿Ｌｉｎｋ＿Ｐａｒａｍｅｔｅｒｓ＿Ｒｅｐｏｒｔ  Ｉｎｄｉｃａｔｉｏｎを使用して、表示を提供することになる。ＣｏｎｆｉｇｕｒａｔｉｏｎＰａｒａｍｅｔｅｒＴｙｐｅが、「２すなわちＬｉｎｋ  Ｃｏｎｆｉｇｕｒｅ  Ｐａｒａｍｅｔｅｒ  Ｌｉｓｔ」に設定されている場合（４７０）には、送信先のＭＩＨＦによって、ＩｎｉｔｉａｔｅＡｃｔｉｏｎイベントが生じるときから、そのときを含めて、ＥｘｅｃｕｔｅＡｃｔｉｏｎイベントかＲｏｌｌｂａｃｋＡｃｔｉｏｎイベントかのどちらかが生じるときまで、ＲｅｐｏｒｔｉｎｇＰｅｒｉｏｄフィールドによってミリ秒単位に指定された間隔において、（ＭＩＨ  Ｃｏｎｆｉｇｕｒｅ  Ｌｉｎｋ要求の）送信元のＭＩＨＦに対して、周期的な表示を送信（４９０）することになる。Ｒｅｐｏｒｔｉｎｇ  Ｐｅｒｉｏｄが「０」に設定されている場合には、ただ１つの表示だけを、各イベントに対して送信することになる。
【００３９】
下の表２は、Ｒｅｐｏｒｔｉｎｇ  Ｐｅｒｉｏｄフィールドを含む、更新されたＭＩＨ＿Ｌｉｎｋ＿Ｃｏｎｆｉｇｕｒｅ＿Ｔｈｒｅｓｈｏｌｄｓ要求プリミティブのパラメーターを記述している。
【００４０】
【表２】
2010529713.tif 000004
【００４１】
対応するプロトコルメッセージは、ＲｅｐｏｒｔｉｎｇＰｅｒｉｏｄ  ＴＬＶフィールドを加えることにより、それに従って更新されることになる。
【００４２】
（リンク・レイヤー・デバイス上の測定報告の構成）  
本セクションは、ＭＩＨフレームワークの下に、関係のある既存のＬＩＮＫ＿ＳＡＰプリミティブを組み込むための、２つの可能な例を説明する。
【００４３】
（Ｌｉｎｋ  Ｇｅｔ  Ｐａｒａｍｅｔｅｒｓ  Ｒｅｑｕｅｓｔのビヘイビアーの変更）  
既存のＬｉｎｋ＿Ｇｅｔ＿Ｐａｒａｍｅｔｅｒｓ要求プリミティブを、次のように記述する。  
Link_Get_Parameters.request(
LinkParametersRequest,
LinkStatesRequest,
LinkDescriptorsRequest
)
【００４４】
上記の実施例において周期的な報告を実行するために、既存のプリミティブ定義を更新して、次のＲｅｐｏｒｔｉｎｇＰｅｒｉｏｄフィールドを含む。  
Link_Get_Parameters.request(
LinkParametersRequest,
LinkStatesRequest,
LinkDescriptorsRequest,
ReportingPeriod
)
【００４５】
図５は、Ｌｉｎｋ＿Ｇｅｔ＿Ｐａｒａｍｅｔｅｒｓ要求の受信後に、実行するのが可能な手順５００についてのフロー図である。Ｌｉｎｋ＿Ｇｅｔ＿Ｐａｒａｍｅｔｅｒｓ要求の受信（５１０）の結果は、受信側リンクが、Ｌｉｎｋ＿Ｇｅｔ＿Ｐａｒａｍｅｔｅｒｓ．ｃｏｎｆｉｒｍプリミティブにより応答（５２０）することになることである。
【００４６】
図５を参照すると、更新されたＬｉｎｋ＿Ｇｅｔ＿Ｐａｒａｍｅｔｅｒｓ要求の受信（５１０）の結果は、ＲｅｐｏｒｔｉｎｇＰｅｒｉｏｄフィールドが「０」に設定されている場合（５３０）には、さらに動作しない（５４０）ことをさらに含む。しかし、ＲｅｐｏｒｔｉｎｇＰｅｒｉｏｄが零でない値に設定されている場合（５３０）には、Ｌｉｎｋ＿Ｐａｒａｍｅｔｅｒｓ＿Ｒｅｐｏｒｔ．ｉｎｄｉｃａｔｉｏｎを使用して、さらに報告を、ＲｅｐｏｒｔｉｎｇＰｅｒｉｏｄフィールドによってミリ秒単位に指定された一定の間隔において送信（５５０）することができる。
【００４７】
下の表３は、更新されたＲｅｐｏｒｔｉｎｇＰｅｒｉｏｄフィールドを含む、Ｌｉｎｋ＿Ｇｅｔ＿Ｐａｒａｍｅｔｅｒｓ要求プリミティブのパラメーターについて説明する。
【００４８】
【表３】
2010529713.tif 000005
【００４９】
（Ｌｉｎｋ  Ｃｏｎｆｉｇｕｒｅ  Ｔｈｒｅｓｈｏｌｄｓ  Ｒｅｑｕｅｓｔのビヘイビアーの変更）  
既存のＬｉｎｋ＿Ｃｏｎｆｉｇｕｒｅ＿Ｔｈｒｅｓｈｏｌｄｓ要求プリミティブを、次のように記述する。  
Link_Configure_Thresholds.request(
LinkConfigureParameterList
)
【００５０】
上記の実施例において周期的な報告を実行するために、既存のプリミティブ定義を更新して、次のＲｅｐｏｒｔｉｎｇＰｅｒｉｏｄフィールドを含む。  
Link_Configure_Thresholds.request(
LinkConfigureParameterList
ReportingPeriod
)
【００５１】
図６は、Ｌｉｎｋ＿Ｃｏｎｆｉｇｕｒｅ＿Ｔｈｒｅｓｈｏｌｄｓ要求の受信後に実行する手順６００のフローの図である。Ｌｉｎｋ＿Ｃｏｎｆｉｇｕｒｅ＿Ｔｈｒｅｓｈｏｌｄｓ要求の受信（６１０）の結果は、受信側が、Ｌｉｎｋ＿Ｃｏｎｆｉｇｕｒｅ＿Ｔｈｒｅｓｈｏｌｄ．ｃｏｎｆｉｒｍプリミティブにより直ちに応答（６２０）することである。
【００５２】
図６を参照すると、更新されたＬｉｎｋ＿Ｃｏｎｆｉｇｕｒｅ＿Ｔｈｒｅｓｈｏｌｄｓ要求の受信６１０の結果は、Ｌｉｎｋ＿Ｐａｒａｍｅｔｅｒｓ＿Ｒｅｐｏｒｔ．ｉｎｄｉｃａｔｉｏｎプリミティブを介して表示を提供しなければならないことをさらに含む。加えて、ＲｅｐｏｒｔｉｎｇＰｅｒｉｏｄフィールドが「０」以外のあらゆる値に設定されている場合（６４０）には、ＩｎｉｔｉａｔｅＡｃｔｉｏｎＴｈｒｅｓｈｏｌｄを超えたときから、そのときを含み、指定されたパラメーターがＥｘｅｃｕｔｅＡｃｔｉｏｎＴｈｒｅｓｈｏｌｄかＲｏｌｌｂａｃｋＡｃｔｉｏｎＴｈｒｅｓｈｏｌｄかのどちらかを超えるときまで、Ｌｉｎｋ＿Ｐａｒａｍｅｔｅｒｓ＿Ｒｅｐｏｒｔ．ｉｎｄｉｃａｔｉｏｎを介して、指定されたパラメーターに対する周期的な報告を、ＭＩＦＨに送信（６５０）する。ＲｅｐｏｒｔｉｎｇＰｅｒｉｏｄフィールドが「０」に設定されている場合（６４０）には、さらに動作しない（６６０）。
【００５３】
下の表４は、ＲｅｐｏｒｔｉｎｇＰｅｒｉｏｄフィールドを含む、更新されたＬｉｎｋ＿Ｃｏｎｆｉｇｕｒｅ＿Ｔｈｒｅｓｈｏｌｄｓ要求プリミティブのパラメーターを説明する。
【００５４】
【表４】
2010529713.tif 000006
【００５５】
（さらに欠陥に取り組むリンク動作の強化）  
本セクションは、条件付きの方法において測定報告を起動して、さらに要求が行われるまで、レイヤーＮからレイヤーＮ＋１への測定報告を不可能にするまたは停止する、およびレイヤーＮからレイヤーＮ＋１への測定報告を可能にするために、予めレイヤーＮに設定された条件をレイヤーＮ＋１によって消去することに関連づけられたメカニズムを組み入れる方法を示す。
【００５６】
基本的には、３つの機能をリンク動作用のプリミティブに加えることによって、上記を達成することができる。第１の機能は、８０２．２１フレームワークにおけるレイヤーＮからレイヤーＮ＋１への測定報告を起動するために予め設定されたあらゆる条件（例えば、パラメーターの閾値）を消去するＬＩＮＫ＿ＣＬＥＡＲ＿ＴＨＲＥＳＨＯＬＤＳプリミティブである。第２の機能は、さらに問合せが行われるまで、すべての周期的なパラメーターの報告の表示を停止するＬＩＮＫ＿ＤＩＳＡＢＬＥ＿ＰＡＲＡＭＥＴＥＲＳ＿ＲＥＰＯＲＴＳプリミティブである。第３の機能は、ひとたび要求が行われるか、または設定条件（例えば、閾値を超えること）を満たすと、周期的なパラメーターの報告の表示を開始するＬＩＮＫ＿ＥＮＡＢＬＥ＿ＰＡＲＡＭＥＴＥＲＳ＿ＲＥＰＯＲＴＳプリミティブである。
【００５７】
一般に、Ｌｉｎｋ  Ａｃｔｉｏｎ  Ｓｅｔ要素を、次のように定義する。
【００５８】
【表５】
2010529713.tif 000007
【００５９】
Ｍｏｄｉｆｉｅｄ  Ｌｉｎｋ  Ａｃｔｉｏｎ  Ｓｅｔ要素を、次のように定義する。
【００６０】
【表６】
2010529713.tif 000008
【００６１】
図７は、サービスメッセージの一例である７００。図７に示す例は、ＭＩＨ＿Ｌｉｎｋ＿Ｃｏｎｆｉｇｕｒｅ＿Ｔｈｒｅｓｈｏｌｄｓ要求メッセージを表す。
【００６２】
図３、４、５および６の手順３００、４００、５００および６００では、ローカルのＭＩＨＦおよびリモートのＭＩＨＦを、ＷＴＲＵ２０５、ＡＰ２１０、またはアクセスルータ（図示せず）などの、他のネットワークエンティティに配置することができる。オプションとして、図３、４、５および６の手順３００、４００、５００および６００の実行は、ＡＰがＷＴＲＵ２０５のＭＩＨプロトコルを要求し、ＷＴＲＵ２０５が、ＷＴＲＵ２０５のＭＩＨ能力に関係する情報を含む、ＭＩＨ測定報告を生成して、ＡＰ２１０に送信することができるように、行ってもよい。
【００６３】
特徴および要素を、特定の組合せの望ましい実施形態において説明したが、各特徴または要素を、他の特徴および要素なしに単独において使用するか、または他の特徴および要素を含むまたは含まない種々の組合せにおい使用することができる。提供した方法またはフローチャートを、コンピュータープログラム、ソフトウェア、または汎用コンピューターもしくはプロセッサが実行するための、コンピューター読取り可能な記憶媒体に明白に組み入れられるファームウェアに実装することができる。コンピューター読取り可能な記憶媒体の例は、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、レジスタ、キャッシュメモリ、半導体メモリデバイス、内部ハードディスクや取外し可能なディスクなどの磁気媒体、光磁気媒体、ならびに例えばＣＤ−ＲＯＭディスクおよびＤＶＤ（ｄｉｇｉｔａｌ  ｖｅｒｓａｔｉｌｅ  ｄｉｓｋ）などの光学媒体を含む。
【００６４】
例として、適したプロセッサは、汎用プロセッサ、特定用途プロセッサ、従来型プロセッサ、ＤＳＰ（ｄｉｇｉｔａｌ  ｓｉｇｎａｌ  ｐｒｏｃｅｓｓｏｒ）、複数のマイクロプロセッサ、ＤＳＰコアに関連づけられた１つまたは複数のマイクロプロセッサ、コントローラー、マイクロコントローラー、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他のあらゆる種類の集積回路、および／またはステートマシンを含む。
【００６５】
ソフトウェアに関連づけられたプロセッサを使用して、ワイヤレス送受信ユニット（ＷＴＲＵ）、ユーザー機器（ＵＥ）、端末、基地局、無線ネットワークコントローラ（ＲＮＣ）、またはあらゆるホストコンピューターに使用するための無線周波数トランシーバーを実装することができる。ＷＴＲＵを、例えばカメラ、ビデオカメラモジュール、ビデオフォン、スピーカフォン、振動デバイス、スピーカー、マイクロフォン、テレビジョントランシーバー、ハンズ・フリー・ヘッドセット、キーボード、Ｂｌｕｅｔｏｏｔｈ（登録商標）モジュール、周波数変調（ＦＭ）無線装置、液晶ディスプレイ（ＬＣＤ）表示装置、有機発光ダイオード（ＯＬＥＤ）表示装置、デジタル・ミュージック・プレーヤー、メディアプレーヤー、ビデオ・ゲーム・プレーヤー・モジュール、インターネットブラウザー、および／またはあらゆるワイヤレスＬＡＮ（ＷＬＡＮ）モジュールなどの、ハードウェアおよび／またはソフトウェアに実装されるモジュールと連係して使用することができる。
【００６６】
（実施形態）
１．ワイヤレス通信においてＭＩＨ（ｍｅｄｉａ  ｉｎｄｅｐｅｎｄｅｎｔ  ｈａｎｄｏｖｅｒ）測定報告を実行する方法であって、
ＭＩＨファンクションに第１の周期性を設定すること
を備えた方法。
【００６７】
２．前記第１の周期性は、ＭＩＨプロトコルメッセージまたはＭＩＨ＿ＳＡＰプリミティブを介して設定される実施形態１の方法。
【００６８】
３．リンク・レイヤー・デバイスに第２の周期性を設定することをさらに備えた実施形態１または２の方法。
【００６９】
４．前記第２の周期性は、ＭＩＨ＿ＬＩＮＫ＿ＳＡＰプリミティブを介して設定される上記実施形態のいずれかにおける方法。
【００７０】
５．新しいＭＩＨ＿ＳＡＰプリミティブ、ＭＩＨプロトコルメッセージ、およびＭＩＨ＿ＬＩＮＫ＿ＳＡＰプリミティブのうちの少なくとも１つを追加して前記第１および第２の周期性を構成する上記実施形態のいずれかにおける方法。
【００７１】
６．測定報告周期用の新しいＩＥ（ｉｎｆｏｒｍａｔｉｏｎ  ｅｌｅｍｅｎｔ）フィールドを追加する上記実施形態のいずれかにおける方法。
【００７２】
７．前記ＩＥを、ＭＩＨ  Ｇｅｔ  Ｌｉｎｋ  Ｐａｒａｍｅｔｅｒｓ  ＲｅｑｕｅｓｔメッセージおよびＭＩＨ＿Ｌｉｎｋ＿Ｇｅｔ＿Ｐａｒａｍｅｔｅｒｓ  Ｒｅｓｐｏｎｓｅメッセージのうちの少なくとも１つに追加する実施形態６の方法。
【００７３】
８．前記ＩＥを、Ｌｉｎｋ＿Ｇｅｔ＿Ｐａｒａｍｅｔｅｒｓ  ＲｅｑｕｅｓｔメッセージおよびＬｉｎｋ＿Ｇｅｔ＿Ｐａｒａｍｅｔｅｒｓ  Ｒｅｓｐｏｎｓｅメッセージのうちの少なくとも１つに追加する実施形態６の方法。
【００７４】
９．前記ＩＥを、ＭＩＨ＿Ｌｉｎｋ＿Ｃｏｎｆｉｇｕｒｅ  ＲｅｑｕｅｓｔメッセージおよびＭＩＨ＿Ｌｉｎｋ＿Ｃｏｎｆｉｇｕｒｅ  Ｒｅｓｐｏｎｓｅメッセージのうちの少なくとも１つに追加する実施形態６の方法。
【００７５】
１０．前記ＩＥを、Ｌｉｎｋ＿Ｃｏｎｆｉｇｕｒｅ＿Ｔｈｒｅｓｈｏｌｄｓ  Ｒｅｑｕｅｓｔメッセージ、およびＬｉｎｋ＿Ｃｏｎｆｉｇｕｒｅ＿Ｔｈｒｅｓｈｏｌｄｓ  Ｒｅｓｐｏｎｓｅメッセージの少なくとも１つに追加する実施形態６の方法。
【００７６】
１１．前記ＭＩＨファンクションが、前記リンク・レイヤー・デバイスに設定された測定報告のための先行の条件を除去することをさらに備えた上記実施形態のいずれかにおける方法。
【００７７】
１２．前記ＭＩＨファンクションが、前記リンク・レイヤー・デバイスからの周期的な測定報告を可能にすることをさらに備えた上記実施形態のいずれかにおける方法。
【００７８】
１３．ＭＩＨユーザーが、前記ＭＩＨファンクションに設定された測定報告用のあらゆる先行の条件を除去することをさらに備えた上記実施形態のいずれかにおける方法。
【００７９】
１４．前記ＭＩＨユーザーが、前記ＭＩＨファンクションからの周期的な測定報告を可能または不可能にすることをさらに備えた上記実施形態のいずれかにおける方法。
【００８０】
１５．ＬＩＮＫ＿ＣＬＥＡＲ＿ＴＨＲＥＳＨＯＬＤＳメッセージを使用して先行の条件を除去する実施形態１３の方法。
【００８１】
１６．ＬＩＮＫ＿ＤＩＳＡＢＬＥ＿ＰＡＲＡＭＥＴＥＲＳ＿ＲＥＰＯＲＴＳメッセージを使用して周期的な測定報告を不可能にする実施形態１３の方法。
【００８２】
１７．ＬＩＮＫ＿ＥＮＡＢＬＥ＿ＰＡＲＡＭＥＴＥＲＳ＿ＲＥＰＯＲＴＳメッセージを使用して周期的な測定報告を可能にする実施形態１３の方法。
【００８３】
１８．ワイヤレス通信においてＭＩＨ（ｍｅｄｉａ  ｉｎｄｅｐｅｎｄｅｎｔ  ｈａｎｄｏｖｅｒ）測定報告を実行する方法であって、
ＭＩＨ要求プリミティブを受信すること、
前記ＭＩＨ要求プリミティブがローカルのＭＩＨＦ用であるかどうかを決定すること、
前記ＭＩＨ要求プリミティブが前記ローカルのＭＩＨＦ用である場合には、要求された情報を受信し、および確認メッセージにより応答すること、
前記ＭＩＨ要求プリミティブが前記ローカルのＭＩＨＦ用でない場合には、ＭＩＨ要求メッセージを生成し、およびリモートのＭＩＨＦに送信すること、
ＲｅｐｏｒｔｉｎｇＰｅｒｉｏｄ値が零でない値であるかどうかを決定すること、
前記ＲｅｐｏｒｔｉｎｇＰｅｒｉｏｄ値が零でない値である場合には、一定の間隔において報告を送信すること、
前記ＲｅｐｏｒｔｉｎｇＰｅｒｉｏｄ値が０である場合には、さらに動作しないこと
を備えた方法。
【００８４】
１９．前記ＭＩＨ要求プリミティブは、ＭＩＨ＿Ｌｉｎｋ＿Ｇｅｔ＿Ｐａｒａｍｅｔｅｒｓ．ｒｅｑｕｅｓｔである実施形態１８の方法。
【００８５】
２０．前記ＭＩＨ要求プリミティブは、ＭＩＨ＿Ｌｉｎｋ＿Ｃｏｎｆｉｇｕｒｅ＿Ｔｈｒｅｓｈｏｌｄｓ．ｒｅｑｕｅｓｔである実施形態１８の方法。
【００８６】
２１．前記ＭＩＨ要求メッセージは、ＭＩＨ＿Ｌｉｎｋ＿Ｇｅｔ＿Ｐａｒａｍｅｔｅｒｓ．ｒｅｑｕｅｓｔメッセージである実施形態１８の方法。
【００８７】
２２．前記ＭＩＨ要求メッセージは、ＭＩＨ＿Ｌｉｎｋ＿Ｃｏｎｆｉｇｕｒｅ＿Ｔｈｒｅｓｈｏｌｄｓ．ｒｅｑｕｅｓｔである実施形態１８の方法。
【００８８】
２３．ＲｅｐｏｒｔｉｎｇＰｅｒｉｏｄを、前記ＭＩＨ要求プリミティブまたはＭＩＨ要求メッセージ内の別のフィールドに埋め込む実施形態１８−２２のいずれかにおける方法。
【００８９】
２４．ワイヤレス通信においてＭＩＨ（ｍｅｄｉａ  ｉｎｄｅｐｅｎｄｅｎｔ  ｈａｎｄｏｖｅｒ）測定報告を実行する方法であって、
リンク要求を受信すること、
リンク応答を送信すること、
報告フィールドが零でない値である場合には、報告フィールドによって指定される一定の間隔においてリンクプリミティブを使用して報告を送信すること、
前記報告フィールド値が０である場合には、さらに動作しないこと
を備えた方法。
【００９０】
２５．前記リンク要求は、Ｌｉｎｋ＿Ｇｅｔ＿Ｐａｒａｍｅｔｅｒｓ．ｒｅｑｕｅｓｔプリミティブである実施形態２４の方法。
【００９１】
２６．前記リンク応答は、Ｌｉｎｋ＿Ｇｅｔ＿Ｐａｒａｍｅｔｅｒｓ．ｃｏｎｆｉｍプリミティブである実施形態２４の方法。
【００９２】
２７．前記リンク要求は、Ｌｉｎｋ＿Ｃｏｎｆｉｇｕｒｅ＿Ｔｈｒｅｓｈｏｌｄｓ．ｒｅｑｕｅｓｔプリミティブである実施形態２４の方法。
【００９３】
２８．前記リンク応答は、Ｌｉｎｋ＿Ｃｏｎｆｉｇｕｒｅ＿Ｔｈｒｅｓｈｏｌｄ．ｃｏｎｆｉｒｍプリミティブである実施形態２４の方法。
【００９４】
２９．Ｌｉｎｋ＿Ｐａｒａｍｅｔｅｒｓ＿Ｒｅｐｏｒｔ．ｉｎｄｉｃａｔｉｏｎプリミティブを使用して表示を提供することをさらに備えた実施形態２４−２８のいずれかにおける方法。
【００９５】
３０．ＭＩＨ（ｍｅｄｉａ  ｉｎｄｅｐｅｎｄｅｎｔ  ｈａｎｄｏｖｅｒ）性能があるワイヤレス送受信ユニット（ＷＴＲＵ）であって、
ＭＩＨ要求メッセージを生成するように構成されたＭＩＨファンクション、
前記ＭＩＨ要求メッセージをアクセスポイント（ＡＰ）に送信するように構成されたトランスミッター、
ＭＩＨ測定報告を受信するように構成されたレシーバー
を備えたＷＴＲＵ。
【００９６】
３１．ＭＩＨ（ｍｅｄｉａ  ｉｎｄｅｐｅｎｄｅｎｔ  ｈａｎｄｏｖｅｒ）性能があるアクセスポイント（ＡＰ）であって、
ＷＴＲＵからＭＩＨ要求メッセージを受信するように構成されたレシーバー、
ＭＩＨ測定報告を生成するように構成されたＭＩＨファンクション、
前記ＭＩＨ測定報告を送信するように構成されたトランスミッター
を備えたＡＰ。
【図１】
2010529713.tif 000009
【図２】
2010529713.tif 000010
【図３】
2010529713.tif 000011
【図４】
2010529713.tif 000012
【図５】
2010529713.tif 000013
【図６】
2010529713.tif 000014
【図７】
2010529713.tif 000015
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
ワイヤレス送受信ユニット（ＷＴＲＵ）において使用する方法であって、
時間間隔のフィールドおよび報告のフィールドを含むＭＩＨ（ｍｅｄｉａ  ｉｎｄｅｐｅｎｄｅｎｔ  ｈａｎｄｏｖｅｒ）測定の構成のメッセージを受信するステップと、
前記測定の構成のメッセージによって測定報告の閾値を構成するステップと
を備え、前記報告のフィールドの値が、
閾値を超える条件により１つの測定報告を１度送信するべきであるか
前記時間間隔のフィールドに示された時間間隔において測定報告を送信するべきであるか
を示すことを特徴とする方法。
【請求項２】
前記測定の構成のメッセージは、ＭＩＨ＿Ｌｉｎｋ＿Ｃｏｎｆｉｇｕｒｅ＿Ｔｈｒｅｓｈｏｌｄｓ．ｒｅｑｕｅｓｔメッセージであることを特徴とする請求項１に記載の方法。
【請求項３】
前記時間間隔のフィールドは、前記ＭＩＨ＿Ｌｉｎｋ＿Ｃｏｎｆｉｇｕｒｅ＿Ｔｈｒｅｓｈｏｌｄｓ．ｒｅｑｕｅｓｔメッセージのＣｏｎｆｉｇｕｒｅＲｅｑｕｅｓｔＬｉｓｔフィールドに含まれることを特徴とする請求項２に記載の方法。
【請求項４】
前記測定報告の閾値を構成するステップは、前記ＭＩＨ＿Ｌｉｎｋ＿Ｃｏｎｆｉｇｕｒｅ＿Ｔｈｒｅｓｈｏｌｄｓ．ｒｅｑｕｅｓｔメッセージによるＬｉｎｋ＿Ｃｏｎｆｉｇｕｒｅ＿Ｔｈｒｅｓｈｏｌｄｓ．ｒｅｑｕｅｓｔプリミティブを下位レイヤーに出すステップを含むことを特徴とする請求項２に記載の方法。
【請求項５】
前記測定の構成のメッセージにより測定報告を送信するステップをさらに備えたことを特徴とする請求項１に記載の方法。
【請求項６】
前記測定報告は、ＭＩＨ＿Ｌｉｎｋ＿Ｐａｒａｍｅｔｅｒｓ＿Ｒｅｐｏｒｔ．ｉｎｄｉｃａｔｉｏｎメッセージであることを特徴とする請求項５に記載の方法。
【請求項７】
前記測定報告の閾値を構成するステップは、ＭＩＨのプリミティブを下位レイヤーに出すステップを含み、前記ＭＩＨのプリミティブは測定報告を消去するべきであることを起動する閾値を示すことを特徴とする請求項１に記載の方法。
【請求項８】
ワイヤレス送受信ユニット（ＷＴＲＵ）であって、
時間間隔のフィールドおよび報告のフィールドを含むＭＩＨ（ｍｅｄｉａ  ｉｎｄｅｐｅｎｄｅｎｔ  ｈａｎｄｏｖｅｒ）測定の構成のメッセージを受信するよう構成されたトランシーバーと、
前記トランシーバーに結合され、前記測定の構成のメッセージによって測定報告の閾値を設定するよう構成されたプロセッサと
を備え、前記報告のフィールドの値が、
閾値を超える条件により１つの測定報告を１度送信するべきであるか
前記時間間隔のフィールドに示された時間間隔において測定報告を送信するべきであるか
を示すことを特徴とするＷＴＲＵ。
【請求項９】
前記測定の構成のメッセージは、前記ＭＩＨ＿Ｌｉｎｋ＿Ｃｏｎｆｉｇｕｒｅ＿Ｔｈｒｅｓｈｏｌｄｓ．ｒｅｑｕｅｓｔであることを特徴とする請求項８に記載のＷＴＲＵ。
【請求項１０】
前記時間間隔のフィールドは、前記ＭＩＨ＿Ｌｉｎｋ＿Ｃｏｎｆｉｇｕｒｅ＿Ｔｈｒｅｓｈｏｌｄｓ．ｒｅｑｕｅｓｔのＣｏｎｆｉｇｕｒｅＲｅｑｕｅｓｔＬｉｓｔフィールドに含まれることを特徴とする請求項９に記載のＷＴＲＵ。
【請求項１１】
前記プロセッサは、前記ＭＩＨ＿Ｌｉｎｋ＿Ｃｏｎｆｉｇｕｒｅ＿Ｔｈｒｅｓｈｏｌｄｓ．ｒｅｑｕｅｓｔメッセージによるＬｉｎｋ＿Ｃｏｎｆｉｇｕｒｅ＿Ｔｈｒｅｓｈｏｌｄｓ．ｒｅｑｕｅｓｔプリミティブを下位レイヤーに出すことによって前記測定報告の閾値を設定するよう構成されたことを特徴とする請求項９に記載のＷＴＲＵ。
【請求項１２】
前記トランシーバーは、前記測定の構成のメッセージにより測定報告を送信するようさらに構成されたことを特徴とする請求項８に記載のＷＴＲＵ。
【請求項１３】
前記測定報告は、ＭＩＨ＿Ｌｉｎｋ＿Ｐａｒａｍｅｔｅｒｓ＿Ｒｅｐｏｒｔ．ｉｎｄｉｃａｔｉｏｎであることを特徴とする請求項１２に記載のＷＴＲＵ。
【請求項１４】
前記プロセッサは、ＭＩＨのプリミティブを下位レイヤーに出すことによって前記測定報告の閾値を設定するよう構成され、前記ＭＩＨのプリミティブは測定報告を消去するべきであることを起動する閾値を示すことを特徴とする請求項８に記載のＷＴＲＵ。
【国際調査報告】
2010529713.tif 000016
2010529713.tif 000017
2010529713.tif 000018
2010529713.tif 000019
2010529713.tif 000020
2010529713.tif 000021
2010529713.tif 000022